(57)【要約】【課題】ユーザに対して不測の事態を招くことなく、電池電圧に応じたマルチモード通信を効率よく実行できる携帯通信端末およびその制御方法を提供する。【解決手段】第１の無線通信システムに対応する第１無線通信手段102と、第２の無線通信システムに対応し、第１無線通信手段102よりも消費電力の少ない第２無線通信手段202を着脱自在に接続可能なインターフェース107と、電池を含む電源部103の電池電圧を検出する電池電圧検出手段104と、第１無線通信手段102が第１の無線通信システムの待ち受け状態であり、かつ、第２無線通信手段202が通信中の場合に、電池電圧検出手段104で検出された電池電圧が所定値Ｖth2以下のときは、第１無線通信手段102を使用停止状態に制御する制御手段111と、を有する。【選択図】図１
2008271514.tif 000002
【特許請求の範囲】
【請求項１】
第１の無線通信システムに対応する第１無線通信手段と、
第２の無線通信システムに対応し、前記第１無線通信手段よりも消費電力の少ない第２無線通信手段を着脱自在に接続可能なインターフェースと、
電池を含む電源部の電池電圧を検出する電池電圧検出手段と、
前記第１無線通信手段が前記第１の無線通信システムの待ち受け状態であり、かつ、前記第２無線通信手段が通信中の場合に、前記電池電圧検出手段で検出された前記電池電圧が所定値以下のときは、前記第１無線通信手段を使用停止状態に制御する制御手段と、
を有することを特徴とする携帯通信端末。
【請求項２】
前記制御手段は、前記第２無線通信手段の通信が終了した際に、前記電池電圧検出手段で検出された前記電池電圧が前記所定値以上の場合は、前記第１無線通信手段により前記第１の無線通信システムの待ち受け処理を開始するように制御することを特徴とする請求項１に記載の携帯通信端末。
【請求項３】
第１の無線通信システムに対応する第１無線通信手段と、インターフェースを介して着脱自在に接続された第２無線通信システムに対応する第２無線通信手段と、電池を含む電源部と、を有する携帯通信端末を制御するにあたり、
前記第１無線通信手段および前記第２無線通信手段の通信状態を検出する通信状態検出ステップと、
前記電源部の電池電圧を検出する電池電圧検出ステップと、
前記通信状態検出ステップで前記第１無線通信手段が前記第１の無線通信システムの待ち受け状態であり、かつ、前記第２無線通信手段が通信中と検出された場合に、前記電池電圧検出ステップで検出された前記電池電圧が所定値以下のときは、前記第１無線通信手段を使用停止状態に制御する制御ステップと、
を含むことを特徴とする携帯通信端末の制御方法。
【請求項４】
前記制御ステップは、前記通信状態検出ステップで前記第２無線通信手段が通信を終了したのを検出した際に、前記電池電圧検出ステップで検出された前記電池電圧が前記所定値以上の場合は、前記第１無線通信手段により前記第１の無線通信システムの待ち受け処理を開始するように制御することを特徴とする請求項３に記載の携帯通信端末の制御方法。
【発明の詳細な説明】
【技術分野】
【０００１】
本発明は、携帯通信端末およびその制御方法に関するものである。
【背景技術】
【０００２】
従来、移動体通信システムとして、ＰＤＣ(Personal Digital Cellular)、Ｗ−ＣＤＭＡ（Wideband Code Division Multiple Access）、ｃｄｍａ２０００  １ｘ、ＰＨＳ(Personal Handy-phone System)、無線ＬＡＮ（Local Area Network）、Bluetooth等の種々の無線通信システムが運用されている。また、ＷｉＭＡＸ（Worldwide Interoperability for Microwave Access）などの高速無線通信の規格化も進められている。これらの無線通信システムは、それぞれに異なった特徴を有する。
【０００３】
例えば、ＰＨＳは、セルの面積が狭いことから、単位面積辺りの使用可能な端末数を多く取ることができ、周波数の利用効率が高いという利点を有する。また、ＰＨＳ端末は、基地局（ＣＳ：Cell Station）を捕捉している間は個別呼び出し信号（ＰＣＨ：Paging Channel）のみを受信すれば良く、そのインターバルが長いことから、待ち受け時間が長いという利点もある。しかしながら、１つのセルがカバーするエリアが狭いため、速い速度で移動しながら通信を行うと、通信が途切れる可能性が高いという欠点がある。
【０００４】
これに対し、例えば、Ｗ−ＣＤＭＡは、セルの面積が広いので、広い範囲を高速で移動しながらの使用が可能である。しかしながら、Ｗ−ＣＤＭＡ端末は、着信監視やセルの信号レベル監視等においても逆拡散処理等を行うため、待ち受け時間がＰＨＳ端末と比較して格段に短くなる。
【０００５】
さらに、広く利用されているＩＥＥＥ（Institute of Electrical and Electronic Engineers）８０２．１１ｂに代表される無線ＬＡＮは、ホットスポットがコーヒーショップや公共施設等に配置されており、最大１１Ｍｂｐｓの通信を行うことができる。しかしながら、かかる無線ＬＡＮは、屋内での利用を前提としているため、セル面積は半径１０ｍ程度と小さい。
【０００６】
また、最近では、異なる無線通信システムをシームレスに利用可能なマルチモード対応の携帯通信端末も検討されている。例えば、端末の移動速度に応じて無線通信システムを切り替えたり、電池残量に基づいて、複数の無線通信システムにおける待ち受け時間の長短を判断して無線通信システムを切り替えたり、する携帯通信端末が知られている（例えば、特許文献１参照）。
【０００７】
【特許文献１】特開２００４−２３５８６３号公報
【発明の開示】
【発明が解決しようとする課題】
【０００８】
従来提案されているマルチモード対応の携帯通信端末は、複数の無線通信システムに対応する複数の無線通信手段を端末に内蔵することを前提としている。
【０００９】
一方、上述したようなマルチモード対応の携帯通信端末として、主となる無線通信システム（以下、適宜、主システムとも言う）の無線通信手段は内蔵し、副となる無線ＬＡＮやBluetooth等の無線通信システム（以下、適宜、副システムとも言う）の無線通信手段は、ＳＤカード（Secure Digital card）の挿入やＵＳＢ（Universal Serial Bus）接続等によって、インターフェースを介して追加する構成のものも考えられる。
【００１０】
このような構成の携帯通信端末では、副システムはインターフェースを介して追加されるものであるため、一般に、副システムでの通信に要する消費電力は、主システムでの通信に要する消費電力よりも少なくなっているが、各々の通信システムは、独立したシステムであることから、同時に通信が実行可能である。このため、特に、電池電圧が低い場合には、いずれか一方のシステムでの通信であれば可能であったのに、両方のシステムでの通信が同時に行われたために、電池電圧の電圧降下が生じて、端末の電源がオフし、両方とも通信できなくなる場合がある。
【００１１】
例えば、副システムでブラウジング中に、主システムで電話をかけようと発呼した際、電源がオフになる場合がある。この場合、副システムより消費電力が多い主システムを起動しなければ、副システムでのブラウジングを継続できる場合もある。同様に、副システムでブラウジング中に、主システムの電話着信に応答した際、電源がオフになる場合もある。この場合も、副システムより消費電力が多い主システムを起動しなければ、副システムでのブラウジングを継続できる場合もある。
【００１２】
さらに、副システムでブラウジング中に、主システムがスケジュールに応じてブロードキャスト／マルチキャストサービス（Broadcast／Multicast Services：以下、適宜、ＢＣＭＣＳと略記する）のデータ受信を開始したが、ＢＣＭＣＳのデータ受信の途中で、電源がオフになる場合もある。この場合は、もともとの電池残量が少ないため、ＢＣＭＣＳのデータを最後まで取得することは難しく、後でユニキャストによりデータを取得しなければならなくなるとともに、ブラウジングもやり直しになることは容易に予測できるので、ユーザが現在使用したいサービスを利用できる方が有益である。この場合は、主システムによるＢＣＭＣＳのデータ受信を控えていれば、端末の電源がオフしないで副システムでのブラウジングを継続することができる。
【００１３】
このように、副システムを追加可能な携帯通信端末では、電池電圧によっては、主システムおよび副システムの動作状況によって、端末自体の電源がオフしてしまったりする等、ユーザに対して不測の事態を招くことが懸念される。
【００１４】
したがって、かかる点に鑑みてなされた本発明の目的は、ユーザに対して不測の事態を招くことなく、電池電圧に応じたマルチモード通信を効率よく実行できる携帯通信端末およびその制御方法を提供することにある。
【課題を解決するための手段】
【００１５】
上記目的を達成する請求項１に係る携帯通信端末の発明は、
第１の無線通信システムに対応する第１無線通信手段と、
第２の無線通信システムに対応し、前記第１無線通信手段よりも消費電力の少ない第２無線通信手段を着脱自在に接続可能なインターフェースと、
電池を含む電源部の電池電圧を検出する電池電圧検出手段と、
前記第１無線通信手段が前記第１の無線通信システムの待ち受け状態であり、かつ、前記第２無線通信手段が通信中の場合に、前記電池電圧検出手段で検出された前記電池電圧が所定値以下のときは、前記第１無線通信手段を使用停止状態に制御する制御手段と、
を有することを特徴とするものである。
【００１６】
請求項２に係る発明は、請求項１に記載の携帯通信端末において、
前記制御手段は、前記第２無線通信手段の通信が終了した際に、前記電池電圧検出手段で検出された前記電池電圧が前記所定値以上の場合は、前記第１無線通信手段により前記第１の無線通信システムの待ち受け処理を開始するように制御することを特徴とするものである。
【００１７】
さらに、上記目的を達成するため、請求項３に係る携帯通信端末の制御方法の発明は、第１の無線通信システムに対応する第１無線通信手段と、インターフェースを介して着脱自在に接続された第２無線通信システムに対応する第２無線通信手段と、電池を含む電源部と、を有する携帯通信端末を制御するにあたり、
前記第１無線通信手段および前記第２無線通信手段の通信状態を検出する通信状態検出ステップと、
前記電源部の電池電圧を検出する電池電圧検出ステップと、
前記通信状態検出ステップで前記第１無線通信手段が前記第１の無線通信システムの待ち受け状態であり、かつ、前記第２無線通信手段が通信中と検出された場合に、前記電池電圧検出ステップで検出された前記電池電圧が所定値以下のときは、前記第１無線通信手段を使用停止状態に制御する制御ステップと、
を含むことを特徴とするものである。
【００１８】
請求項４に係る発明は、請求項３に記載の携帯通信端末の制御方法において、
前記制御ステップは、前記通信状態検出ステップで前記第２無線通信手段が通信を終了したのを検出した際に、前記電池電圧検出ステップで検出された前記電池電圧が前記所定値以上の場合は、前記第１無線通信手段により前記第１の無線通信システムの待ち受け処理を開始するように制御することを特徴とするものである。
【発明の効果】
【００１９】
本発明によれば、第２無線通信手段（副システム）の追加による第１無線通信手段（主システム）との各々の動作状況によって、ユーザに対して不測の事態を招くことなく、電池電圧に応じたマルチモード通信を効率よく実行することが可能となる。特に、第２無線通信手段の通信中に、第１無線通信手段の通信を開始する際に、電池電圧が低下している場合には、消費電力の少ない第２無線通信手段による通信を優先させるようにしたので、例えば、待ち受け状態にある第１無線通信手段がアイドルハンドオフ（基地局切り替え）などの送信を伴う処理を開始したことが原因で、電源部がオフになって、両方の通信が同時に異常終了するのを防止することができ、端末の使用時間を長くできる。
【発明を実施するための最良の形態】
【００２０】
以下、本発明の実施の形態について、図を参照して説明する。
【００２１】
図１は、本発明の一実施の形態に係る携帯通信端末の要部の構成を示す機能ブロック図である。この携帯通信端末１００は、携帯電話端末で、アンテナ１０１、無線部１０２、電池を含む電源部１０３、電源部１０３の電池電圧を計測する電池電圧検出部１０４、入力キーやタッチパネル等の操作部１０５、ＬＣＤ（Liquid Crystal Display）やＯＥＬ（Organic Electro Luminescence）等の表示部１０６、ＳＤ Ｉ／Ｆ対応カードを挿入するＳＤ Ｉ／Ｆ１０７、ＳＤ Ｉ／Ｆ１０７へのＳＤ Ｉ／Ｆ対応カードの挿入を検出する外部スロット検出部１０８、ソフトウェア等を書き込むＲＯＭ１０９およびＲＡＭ１１０、全体の動作を制御する制御部１１１を有する。
【００２２】
無線部１０２は、通信事業者が提供する無線通信システムであるｃｄｍａ２０００  １ｘやＷ−ＣＤＭＡ等の第１の無線通信システム（主システム）に対応する第１無線通信手段（以下、適宜、主通信手段という）を構成するもので、送信手段および受信手段等を内蔵し、アンテナ１０１を介して電波の送受信が可能である。ここでは、説明の便宜上、主システムは、送受信を伴うｃｄｍａ２０００  １ｘ通信（以下、適宜、１ｘ通信と略称する）と、ｃｄｍａ２０００  １ｘＥＶ−ＤＯによる通信とを行うものとする。なお、ＢＣＭＣＳ（Broadcast/Multicast Services）は、ｃｄｍａ２０００  １ｘＥＶ−ＤＯによりデータを受信することにより行われる。
【００２３】
また、ＳＤ Ｉ／Ｆ１０７には、ＳＤ Ｉ／Ｆ対応カードとして、ＳＤ無線カード２００が挿脱可能である。ＳＤ無線カード２００は、第２の無線通信システム（副システム）に対応するもので、ＳＤ Ｉ／Ｆ２０１、副システムによる通信を行うため第２無線通信手段（以下、適宜、副通信手段という）を構成する無線部２０２およびアンテナ２０３、副システムのソフトウェア等を書き込むＲＯＭ２０４およびＲＡＭ２０５、全体の動作を制御する制御部２０６を有する。
【００２４】
このＳＤ無線カード２００は、携帯通信端末１００のＳＤ Ｉ／Ｆ１０７に挿入することで、携帯通信端末１００と接続されて電源部１０３から電源が供給され、これにより主システムと独立して副システムによる通信が実行可能となる。したがって、主通信手段と副通信手段とは、同時に通信を実行することが可能である。ここでは、説明の便宜上、ＳＤ無線カード２００は、無線ＬＡＮ通信を行うものとする。
【００２５】
本実施の形態において、主システムの１ｘ通信中における消費電流は、例えば、復調部で４０ｍＡ、変調部で最大７０ｍＡ、送信部で最大４５０ｍＡである。したがって、電源電圧低下時の電池電圧が、例えば３．４Ｖとすると、このときの消費電力は、３．４×（４０＋７０＋４５０）＝１９０４（ｍＷ）、となる。これに対し、副無線システムのＳＤ無線カード２００は、例えば、３．３Ｖで駆動され、無線ＬＡＮ通信時の消費電流は、例えば送信モードで１１０ｍＡ、受信モードで５０ｍＡである。したがって、消費電力は、平均電流を８０ｍＡとすると、３．３×８０＝２６４（ｍＷ）、となり、１ｘ通信よりも少ない。また、１ｘ通信と無線ＬＡＮ通信とを同時に行った場合の無線通信端末１００の総消費電流は、例えば、７００ｍＡ程度である。
【００２６】
図２は、図１に示した電源部１０３を構成する電池の放電率−電圧特性の一例を示す図である。ここでは、主通信手段で着信待ち受けを実行している場合（待ち受け時）、副通信手段で無線ＬＡＮ通信のみを実行した場合（無線ＬＡＮ使用時）、主通信手段でＢＣＭＣＳのデータ受信のみを実行した場合（ＢＣＭＣＳ時）、主通信手段で１ｘ通信のみを実行した場合（１ｘ使用時）、主通信手段で１ｘ通信を実行すると同時に、副通信手段で無線ＬＡＮ通信を実行した場合（１ｘ＋無線ＬＡＮ使用時）を示している。なお、無線ＬＡＮ使用時には、主通信手段で着信待ち受けを実行している。また、上述の「使用時」とは、通信を行う状態を示している。
【００２７】
図２からも明らかなように、電池は、一般に放電率が高くなるほど電圧が低下し、電流が多いほど電圧降下が多くなる。また、携帯電話端末では、通常、定格３．７Ｖのリチウム−イオン電池を使用しており、１ｘシステムの携帯電話端末の場合には、例えば電池電圧が３．４Ｖ前後で通信できなくなり、３.３Ｖ以下になると端末自体の電源を自動的にオフするように設計されている。このため、１ｘシステムの携帯電話端末では、電池残量をユーザに示すために、電池電圧から電池残量を予測して表示部に１〜３灯で表示したり、電池電圧が３.４Ｖ以下になった場合には「Ｌｏｗ Ｂａｔｔ」を表示したりしている。
【００２８】
本実施の形態では、電源部１０３に収容する電池として、例えば定格３．７Ｖのリチウム−イオン電池を用い、その電池電圧に対して第１閾値（Ｖth1）、第２閾値（Ｖth2）、第３閾値（Ｖth3）および第４閾値（Ｖth4）を設定して、それらの閾値と、電池電圧検出部１０４で検出される電池電圧との比較に基づいて動作を制御する。
【００２９】
ここで、Ｖth1は、使用限界の電圧である。Ｖth2は、本発明の所定値で、無線ＬＡＮ使用時や待ち受け時に、１ｘ通信を行うと、Ｖth1以下になる電圧である。Ｖth3は、無線ＬＡＮ使用時や待ち受け時に、ＢＣＭＣＳのデータ受信を行うと、Ｖth1以下になる電圧である。Ｖth4は、１ｘ通信中（１ｘ使用時）や待ち受け時やＢＣＭＣＳのデータ受信に、無線ＬＡＮの通信を行うと、Ｖth1以下になる電圧である。なお、Ｖth1、Ｖth2、Ｖth3、Ｖth4は、上記概念を示す電圧であって、実際には、上述したそれぞれの電圧に対して少し高めのマージンを持った電圧（所定値）を使用するのが好ましい。本実施の形態では、Ｖth1＜Ｖth4＜Ｖth3＜Ｖth2として、これらの閾値を予めＲＯＭ１０９またはＲＡＭ１１０に格納しておく。
【００３０】
また、電源部１０３の電池電圧は、電池電圧検出部１０４によって常時検出して、制御部１１１において所要の閾値と比較するか、あるいは、所定の周期で検出して、その検出した電池電圧をＲＡＭ１１０に更新しながら記憶することにより、制御部１１１においてＲＡＭ１１０に記憶されている最新の電池電圧と所要の閾値とを比較する。
【００３１】
次に、本実施の形態に係る携帯通信端末１００の動作例について、図３〜図７に示すフローチャートを参照しながら説明する。
【００３２】
図３は、ＳＤ Ｉ／Ｆ１０７へのカードの挿入検出を含む動作例を示すフローチャートである。先ず、外部スロット検出部１０８は、ＳＤ Ｉ／Ｆ１０７にカードが挿入されたか否かを監視する（ステップＳ１０１）。外部スロット検出部１０８がカードの挿入を検出すると、制御部１１１は、そのカードが無線機能を有する通信カードか否かを判定する（ステップＳ１０２）。したがって、制御部１１１は、ＳＤ Ｉ／Ｆ１０７に接続された外部装置が、主システムよりも消費電力が少ない副システムに対応する副通信手段を備えるかを判定する判定手段も構成する。
【００３３】
その結果、通信カードでない場合には、例えばメモリカードの場合には、当該メモリカードに対応するシーケンスを動作させる（ステップＳ１０３）。これに対し、ＳＤ無線カード２００の場合には、制御部１１１は、主通信手段が１ｘ通信中（例えば、ブラウジング中）であるか否かの通信状態をチェックする（ステップＳ１０４）。
【００３４】
ここで、主通信手段が１ｘ通信中であるときは、次に、制御部１１１は、電池電圧検出部１０４で計測された電池電圧がＶth4以下か否かを判定する（ステップＳ１０５）。その結果、電池電圧がＶth4以下の場合には、制御部１１１は、主通信手段による通信を停止する旨を表示部１０６に表示し（ステップＳ１０６）、その後、ＳＤ無線カード２００を抜く等の操作が無ければ（ステップＳ１０７）、１ｘ通信（ブラウジング）のアプリケーションは動作させたまま、主通信手段を使用停止状態とする（ステップＳ１０８）。その後、制御部１１１は、アプリケーションの操作を待って（ステップＳ１０９）、通信を必要とする操作があると、副システムによる無線ＬＡＮ通信を開始させる。これにより、主システムの１ｘ通信で実行していたブラウジングを、副システムの無線ＬＡＮで継続する（ステップＳ１１０）。
【００３５】
なお、制御部１１１は、ステップＳ１０４で、主通信手段が１ｘ通信中（使用中）でないと判定した場合は、ステップＳ１０９に移行して、副システムの無線ＬＡＮによるアプリケーションを実行し、また、ステップＳ１０５で、電池電圧がＶth4を超えている場合には、ステップＳ１０９に移行して、両システムの独立した同時通信を許可する。また、制御部１１１は、ステップＳ１０７でＳＤ無線カード２００をＳＤ  Ｉ／Ｆ１０７から抜く操作をした場合には（ステップＳ１０７のＹｅｓ）、主通信手段によるブラウジングを継続する。
【００３６】
このように、本実施の形態に係る携帯通信端末１００は、主通信手段による通信中（ブラウジング中）に、副通信手段が追加された場合は、電池電圧がＶth4以下となった時点で、主通信手段が通信を行っているアプリケーションは終了せずに、副通信手段に比べて消費電力の多い主通信手段を使用停止状態として、主通信手段が通信を行っていたアプリケーションを、主通信手段に比べて消費電力の少ない副通信手段に引き継ぐ。これにより、両方を同時に使用することによって、不意に携帯通信端末１００が使用不能になるのを防止することができ、ユーザに対して不測の事態を招くことがなくなるとともに、携帯通信端末１００の使用時間も長くできる。例えば、１ｘ通信と無線ＬＡＮ通信とを同時に行った場合の無線通信端末１００の総消費電流は、上述したように７００ｍＡ程度なので、主通信手段を使用停止にすれば、消費電流を７０％以上削減することが可能となる。
【００３７】
また、ＳＤ無線カード２００は挿入済みで無線ＬＡＮを使用する場合においても、同様に、ステップＳ１０４以降の処理を行うことにより、副通信手段の通信の開始によって、携帯通信端末１００が使用不能になるのを防止することができ、同様の効果を得ることができる。
【００３８】
図４は、主通信手段による１ｘ通信と副通信手段による無線ＬＡＮ通信とが同時に行なわれる場合の動作例を示すフローチャートである。先ず、制御部１１１は、電池電圧検出部１０４で計測された電池電圧がＶth1以下になったか否かを監視して（ステップＳ２０１）、Ｖth1以下となったら、主通信手段および副通信手段が通信中か否かの通信状態をチェックする（ステップＳ２０２）。ここで、主通信手段および副通信手段が通信中にあるときは（ステップＳ２０２のＹｅｓ）、制御部１１１は、表示部１０６に主通信手段を停止させなければならない旨を表示して、主通信手段による通信を停止させて圏外とする。これにより、消費電力の多い主通信手段は、使用停止状態として、その旨をユーザに通知する（ステップＳ２０３）。
【００３９】
その後、制御部１１１は、副通信手段による無線ＬＡＮ通信（例えば、ブラウジング）が終了したら（ステップＳ２０４）、電池電圧検出部１０４により電池残量をチェックする（ステップＳ２０５）。ここでは、主通信手段を停止し、副通信手段も通信していないので、待ち受け時の電池電圧と近似するものとする。電池電圧がＶth2以下か否かを判定する（ステップＳ２０６）。その結果、Ｖth2以下でなければ、制御部１１１は、主通信手段を自動的にサーチさせて待ち受けを行うか、あるいは、ユーザに主通信手段の通信の可否を選択させる（図示せず）。図４は、自動的にサーチさせて待ち受けを行う場合を示し、これにより主通信手段の待ち受けを再開して、その旨をユーザに通知する（ステップＳ２０７）。なお、制御部１１１は、ステップＳ２０６で、電池電圧がＶth2以下と判定した場合には、主通信手段を待ち受け状態に復帰させないようにする。また、上述において、待ち受け時の電池電圧と近似するものとして、Ｖth2を用いて説明したが、新たに閾値を記憶・設定して、その新たな閾値と電池電圧を用いて判定してもよい。なお、ステップＳ２０２において、主通信手段および副通信手段のいずれか一方が通信中の場合は（ステップＳ２０２のＮｏ）、その通信中の通信手段のシャットダウンシーケンスを実行する（ステップＳ２０８）。
【００４０】
これにより、主通信手段による１ｘ通信と副通信手段による無線ＬＡＮ通信とを同時に行っている最中に、電池電圧の低下により電源部１０３がオフとなって、両方の通信が同時に異常終了されることなく、電池電圧がＶth1以下に低下した時点で、消費電力の少ない副通信手段によるブラウジングを継続することができる。したがって、通信機器としての機能を最大限利用することができるとともに、携帯通信端末１００の使用時間も長くできる。
【００４１】
図５は、図４において説明した主通信手段による１ｘ通信（音声通話）と副通信手段による無線ＬＡＮ通信（例えば、ブラウジング）とが同時に行なわれる場合に、電池電圧がＶth1以下に低下したとき、主通信手段による音声通話を、消費電力の少ない副通信手段で実現する場合の動作例を示すフローチャートである。先ず、制御部１１１は、電池電圧検出部１０４で計測された電池電圧がＶth1以下になったか否かを監視して（ステップＳ３０１）、Ｖth1以下となったら、主通信手段および副通信手段が通信中か否かの通信状態をチェックする（ステップＳ３０２）。
【００４２】
ここで、主通信手段および副通信手段が通信中にあるときは（ステップＳ３０２のＹｅｓ）、制御部１１１は、主通信手段を用いて音声通話を行っている相手先の端末のアドレスを参照して（ステップＳ３０３）、副システムでＶｏＩＰ通信が可能か否かを判定する（ステップＳ３０４）。その結果、相手先端末においてＶｏＩＰ通信が可能な場合には、制御部１１１は、副システムにより相手先へ発呼する（ステップＳ３０５）。その後、相手先が応答したら、制御部１１１は、副システムでのＶｏＩＰ通信を開始し（ステップＳ３０６）、主通信手段は音声通話を終了させて圏外とする。これにより、消費電力の多い主通信手段を使用停止状態として、その旨をユーザに通知する（ステップＳ３０７）。なお、制御部１１１は、ステップＳ３０４において副通信手段でＶｏＩＰ通信ができないと判定した場合や、ステップＳ３０６において相手先が一定時間ＶｏＩＰに応答しない場合にも、同様にステップＳ３０７を実行する。
【００４３】
その後、制御部１１１は、副通信手段による無線ＬＡＮ通信（ＶｏＩＰまたはブラウジング）が終了したら（ステップＳ３０８）、電池電圧検出部１０４により電池残量をチェックする（ステップＳ３０９）。ここでは、主通信手段を停止し、副通信手段も通信していないので、待ち受け時の電池電圧と近似するものとする。電池電圧がＶth2以下か否かを判定する（ステップＳ３１０）。その結果、Ｖth2以下でなければ、制御部１１１は、主通信手段を自動的にサーチさせて待ち受けを行うか、あるいは、ユーザに主通信手段の通信の可否を選択させる（図示せず）。図５は、図４の場合と同様に、自動的にサーチさせて待ち受けを行う場合を示し、これにより主通信手段の待ち受けを再開して、その旨をユーザに通知する（ステップＳ３１１）。なお、制御部１１１は、ステップＳ３１０で、電池電圧がＶth2以下と判定された場合には、主通信手段を待ち受け状態に復帰させないようにする。また、上述において、待ち受け時の電池電圧と近似するものとして、Ｖth2を用いて説明したが、新たに閾値を記憶・設定して、その新たな閾値と電池電圧を用いて判定してもよい。なお、ステップＳ３０２において、主通信手段および副通信手段のいずれか一方が通信中の場合は（ステップＳ３０２のＮｏ）、その通信中の通信手段のシャットダウンシーケンスを実行する（ステップＳ３１２）。
【００４４】
これにより、主通信手段による音声通話と副通信手段によるブラウジングとを同時に行っている最中に、電池電圧の低下により電源部１０３がオフとなって、両方の通信が同時に異常終了されることなく、電池電圧がＶth1以下に低下した時点で、主通信手段による音声通話を、消費電力の少ない副通信手段で継続することが可能となる。したがって、電話としての機能を最大限利用することができる。
【００４５】
図６は、副通信手段を使用して無線ＬＡＮ通信（例えば、ブラウジング）を行っているときに、電池残量が所定値であるＶth2以下になった場合の動作例を示すフローチャートである。先ず、制御部１１１は、電池電圧検出部１０４で計測された電池電圧がＶth2になったら（ステップＳ４０１）、表示部１０６等によりユーザに主通信手段での待ち受けを終了する旨を通知する（ステップＳ４０２）。さらに、制御部１１１は、無線部１０２の送信部（図示せず）への電源供給を終了して、着呼があっても基地局に対してＡｃｋ等のメッセージを返信しないなどして、圏外状態として、主通信手段での送信を禁止して使用停止状態とする(ステップＳ４０３）。
【００４６】
その後、制御部１１１は、副通信手段でのブラウジングが終了したら（ステップＳ４０４）、電池電圧検出部１０４により電池残量をチェックする（ステップＳ４０５）。ここでは、主通信手段を停止し、副通信手段も通信していないので、待ち受け時の電池電圧と近似するものとする。電池電圧がＶth2以下か否かを判定する（ステップＳ４０６）。その結果、Ｖth2以下でなければ、制御部１１１は、ユーザに主通信手段の待ち受け再開の有無を選択させ（ステップＳ４０７）、待ち受けの再開が選択された場合には、主通信手段を自動的に圏内サーチさせて（ステップＳ４０８）、待ち受け状態に復帰させる（ステップＳ４０９）。なお、制御部１１１は、ステップＳ４０６で、電池電圧がＶth2以下と判定した場合や、ステップＳ４０７で待ち受け再開が選択されなかった場合には、主通信手段を待ち受け状態に復帰させないようにする。なお、電池電圧がＶth2以上と判定すると、自動的に主通信手段の待ち受けを再開させるようにしてもよい（図示せず）。また、上述において、待ち受け時の電池電圧と近似するものとして、Ｖth2を用いて説明したが、新たに閾値を記憶・設定して、その新たな閾値と電池電圧を用いて判定してもよい。
【００４７】
この動作例によると、例えば、副通信手段でブラウジング中に、電池電圧が所定値であるＶth2以下に低下すると、主通信手段が使用停止状態となるので、待機中の主通信手段がアイドルハンドオフ（基地局切り替え）や着信応答などの送信を伴う処理を開始したことが原因で、電源部１０３がオフになって、無線通信端末１００が使えなくなることを防ぐことができる。これにより、消費電力の少ない副通信手段でのブラウジングを正常に終了させることができる。
【００４８】
図７は、主通信手段によるＢＣＭＣＳのデータ受信と副通信手段による無線ＬＡＮ通信（例えば、ブラウジング）とが同時に行われる場合の動作例を示すフローチャートである。先ず、ＢＣＭＣＳのデータ受信中において、外部スロット検出部１０８は、ＳＤ Ｉ／Ｆ１０７にカードが挿入されたか否かを監視する（ステップＳ５０１）。外部スロット検出部１０８がカードの挿入を検出すると、制御部１１１は、そのカードが無線機能を有する通信カードか否かを判定する（ステップＳ５０２）。その結果、通信カードでない場合には、例えばメモリカードの場合には、当該メモリカードに対応するシーケンスを動作させる（ステップＳ５０３）。これに対し、ＳＤ無線カード２００の場合には、制御部１１１は、電池電圧検出部１０４で計測された電池電圧がＶth4以下になったか否かを監視する（ステップＳ５０４）。その結果、Ｖth4以下となったら、制御部１１１は、表示部１０６に主通信手段を停止させなければならない旨を表示するとともに（ステップＳ５０５）、主通信手段による通信を停止して、主通信手段を使用停止状態とする（ステップＳ５０６）。
【００４９】
その後、制御部１１１は、副通信手段でのブラウジングが終了したら（ステップＳ５０７）、電池電圧検出部１０４により電池残量をチェックする（ステップＳ５０８）。ここでは、主通信手段を停止し、副通信手段も通信していないので、待ち受け時の電池電圧と近似するものとする。電池電圧がＶth2以下か否かを判定する（ステップＳ５０９）。その結果、Ｖth2以下でなければ、制御部１１１は、ユーザに主通信手段による通信再開の有無を選択させて（ステップＳ５１０）、通信再開が選択された場合には、主通信手段の通信（待ち受け）を再開する（ステップＳ５１１）。なお、制御部１１１は、ステップＳ５０９で、電池電圧がＶth2以下と判定した場合や、ステップＳ５１０で主通信手段の通信再開が選択されなかった場合には、主通信手段を使用停止状態のままとする。なお、電池電圧がＶth2以上と判定すると、自動的に主通信手段の待ち受けを再開させるようにしてもよい（図示せず）。また、上述において、待ち受け時の電池電圧と近似するものとして、Ｖth2を用いて説明したが、新たに閾値を記憶・設定して、その新たな閾値と電池電圧を用いて判定してもよい。
【００５０】
これにより、主通信手段によるＢＣＭＣＳのデータ受信と副通信手段によるブラウジングとを同時に行っている最中に、電池電圧の低下により電源部１０３がオフして、両方の通信が同時に異常終了されることなく、電池電圧がＶth4以下に低下した時点で、消費電力の少ない副システムによるブラウジングのみは継続することができる。
【００５１】
以上のように、本実施の形態では、主通信手段よりも消費電力が少ない副通信手段が追加された場合には、電池電圧に応じて、副通信手段による通信を優先するようにしたので、電池電圧の低下による主通信手段および副通信手段の異常終了を防止することが可能になり、その結果として携帯通信端末１００の待ち受け時間を延長することが可能となる。しかも、主通信手段による通信を停止させる際には、その旨を表示部１０６に表示するようにしたので、ユーザの利便性も向上することができる。
【００５２】
なお、本発明は、上記実施の形態にのみ限定されるものではなく、幾多の変形または変更が可能である。例えば、主通信手段による通信システムは、ｃｄｍａ２０００ １ｘやＢＣＭＣＳのデータ受信を行うシステムに限らず、その他の無線通信システムとすることができるとともに、副通信手段による副システムも無線ＬＡＮに限らず、主システムと異なる任意の通信システムとすることができる。また、副通信手段は、一つに限らず、通信システムの異なる複数の副通信手段を接続可能な場合にも、本発明を有効に適用することができる。また、外部装置も、ＳＤカードに限らず、ＵＳＢ接続される装置等でもよい。
【図面の簡単な説明】
【００５３】
【図１】本発明の一実施の形態に係る携帯通信端末の要部の構成を示す機能ブロック図である。
【図２】図１に示した電源部を構成する電池の放電率−電圧特性の一例を示す図である。
【図３】図１に示した携帯通信端末の、ＳＤ Ｉ／Ｆへのカードの挿入検出を含む動作例を示すフローチャートである。
【図４】図１に示した携帯通信端末の、主通信手段による１ｘ通信と副通信手段による無線ＬＡＮ通信とが同時に行われる場合の動作例を示すフローチャートである。
【図５】図４において、主通信手段の通信を副通信手段で実現する場合の動作例を示すフローチャートである。
【図６】図１に示した携帯通信端末の、副通信手段でブラウジング中に、電池残量がＶth2以下になった場合の動作例を示すフローチャートである。
【図７】図１に示した携帯通信端末の、主通信手段によるＢＣＭＣＳのデータ受信と副通信手段による無線ＬＡＮ通信とが同時に行われる場合の動作例を示すフローチャートである。
【符号の説明】
【００５４】
１００  携帯通信端末
１０１  アンテナ
１０２  無線部
１０３  電源部
１０４  電池電圧検出部
１０５  操作部
１０６  表示部
１０７  ＳＤ Ｉ／Ｆ
１０８  外部スロット検出部
１０９  ＲＯＭ
１１０  ＲＡＭ
１１１  制御部
２００  ＳＤ無線カード
２０１  ＳＤ Ｉ／Ｆ
２０２  無線部
２０３  アンテナ
２０４  ＲＯＭ
２０５  ＲＡＭ
２０６  制御部
【図１】
2008271514.tif 000003
【図２】
2008271514.tif 000004
【図３】
2008271514.tif 000005
【図４】
2008271514.tif 000006
【図５】
2008271514.tif 000007
【図６】
2008271514.tif 000008
【図７】
2008271514.tif 000009